(57)【要約】【課題】  釣糸を練り込んでいない穴あきタイプの渦巻き線香を松風式渦巻き線香釣台に好適に使用できる釣金具を提供する。【解決手段】  釣糸を有しない穴あきタイプの渦巻き線香を釣台に釣り下げるための釣金具であって、渦巻き線香を下方から支持する渦巻き線香支持部と、その渦巻き線香支持部と連続して渦巻き線香の中央の穴あき部から上方に延びるように形成された渦巻き線香釣り下げ部とからなる釣金具において、渦巻き線香支持部と渦巻き線香釣り下げ部が一本の針金から形成されていること、渦巻き線香支持部の渦巻き線香と接触する部分が穴あき部付近と接触する部分を除いて不燃性マットで覆われていること、及び渦巻き線香釣り下げ部がその上方に釣台への釣り下げを可能にする湾曲部を有することを特徴とする。【選択図】  図３
0003132564.tif 000002
【実用新案登録請求の範囲】
【請求項１】
釣糸を有しない穴あきタイプの渦巻き線香を釣台に釣り下げるための釣金具であって、渦巻き線香を下方から支持する渦巻き線香支持部と、その渦巻き線香支持部と連続して渦巻き線香の中央の穴あき部から上方に延びるように形成された渦巻き線香釣り下げ部とからなる釣金具において、渦巻き線香支持部と渦巻き線香釣り下げ部が一本の針金から形成されていること、渦巻き線香支持部の渦巻き線香と接触する部分が穴あき部付近と接触する部分を除いて不燃性マットで覆われていること、及び渦巻き線香釣り下げ部がその上方に釣台への釣り下げを可能にする湾曲部を有することを特徴とする渦巻き線香の釣金具。
【請求項２】
釣糸を有しない穴あきタイプの渦巻き線香と、請求項１に記載の釣金具とからなることを特徴とする渦巻き線香セット。
【請求項３】
松風式渦巻き線香釣台と、請求項１に記載の釣金具とからなることを特徴とする渦巻き線香セット。
【考案の詳細な説明】
【技術分野】
【０００１】
本考案は、葬儀後に仏壇等で焚かれる渦巻き線香のための釣金具に関する。
【背景技術】
【０００２】
渦巻き線香は、明治時代に大阪で考案されたものであり、葬儀の日から４９日間の間、仏壇等で線香の火を絶やさないため、長時間点火時間を維持できるようにしたものである。
【０００３】
従来の一般的な渦巻き線香は、渦巻き状に側縁を密接して平坦に巻かれたものであり、線香の中央端部に釣糸が練り込まれたタイプ（図１ａ参照）と、釣糸が練り込まれていない穴あきタイプ（図１ｂ参照）の二種類に大きく分けられる。
【０００４】
釣糸が練り込まれたタイプの渦巻き線香は、金属製の灰受け皿の一端に針金を逆Ｌ字状に立設した釣台（松風式渦巻き線香釣台）の針金の先端に釣糸を引っ掛けることによって渦巻き線香を釣り下げて使用するものである（図２ａ参照）。また、釣糸が練り込まれていない穴あきタイプの渦巻き線香は、耐熱性の灰受け皿の中央に傘状に盛り上げた部品を設置してその先端で渦巻き線香の穴のあいた中心部を下面から支持するようにして使用するものである（図２ｂ参照）。
【０００５】
これらのタイプの渦巻き線香はいずれも、上記のように専用の台や部品を使用しないと目的を達成することができないにもかかわらず、その使用目的上、使い慣れたユーザが存在しないため、購入した渦巻き線香のタイプと用意した専用の台や部品とが合致しないことが頻繁に起こりうる。例えば、購入した渦巻き線香が釣糸を練り込んでいない穴あきタイプのものであるとき、釣台として松風式渦巻き線香釣台しか用意していないときは渦巻き線香を好適に使用することができない。
【考案の開示】
【考案が解決しようとする課題】
【０００６】
本考案は、かかる従来技術の現状に鑑み創案されたものであり、その目的は、釣糸を練り込んでいない穴あきタイプの渦巻き線香を松風式渦巻き線香釣台に好適に使用できる釣金具を提供することにある。
【課題を解決するための手段】
【０００７】
本考案は、かかる目的を達成するために穴あきタイプの渦巻き線香に好適な渦巻き線香支持部と渦巻き線香釣り下げ部を有する釣金具について鋭意検討した結果、本考案の完成に至った。
【０００８】
即ち、本考案は、釣糸を有しない穴あきタイプの渦巻き線香を釣台に釣り下げるための釣金具であって、渦巻き線香を下方から支持する渦巻き線香支持部と、その渦巻き線香支持部と連続して渦巻き線香の中央の穴あき部から上方に延びるように形成された渦巻き線香釣り下げ部とからなる釣金具において、渦巻き線香支持部と渦巻き線香釣り下げ部が一本の針金から形成されていること、渦巻き線香支持部の渦巻き線香と接触する部分が穴あき部付近と接触する部分を除いて不燃性マットで覆われていること、及び渦巻き線香釣り下げ部がその上方に釣台への釣り下げを可能にする湾曲部を有することを特徴とする渦巻き線香の釣金具である。
【０００９】
また、本考案は、釣糸を有しない穴あきタイプの渦巻き線香と、上記のような釣金具とからなる渦巻き線香セット、または松風式渦巻き線香釣台と、上記のような釣金具とからなる渦巻き線香セットである。
【考案の効果】
【００１０】
本考案の釣金具は、渦巻き線香を下方から支持する渦巻き線香支持部と、渦巻き線香穴あき部から上方に延びる渦巻き線香釣り下げ部とからなるので、釣糸を有しない穴あきタイプの渦巻き線香を松風式渦巻き線香釣台に容易かつ安定して釣り下げることができる。また、本考案の釣金具は、一本の針金から形成されているため、製造が容易かつ安価である。また、本考案の釣金具は、渦巻き線香支持部の渦巻き線香と接触する部分が穴あき部付近と接触する部分を除いて不燃性マットで形成されているので、渦巻き線香の点火部が渦巻き線香の穴あき部付近に至るまで渦巻き線香の立ち消えがなく経済的にかつ安全に渦巻き線香を使用することができる。
【考案を実施するための最良の形態】
【００１１】
本考案の釣金具で使用する渦巻き線香は、静岡以西の西日本で死亡直後に柩や位牌の前に、その後仏壇等で焚かれるときに使用されるものであり、円形断面を有する線香を渦巻き状に形成したもののうち、特に釣糸を練り込んでいない穴あきタイプのものを対象とする。本考案の釣金具で使用する渦巻き線香には、蚊の駆除を目的とする蚊取線香は含まれない。
【００１２】
本考案の釣金具１は、図３に示すように、渦巻き線香支持部２と、その渦巻き線香支持部と連続して渦巻き線香の中央の穴あき部から上方に延びるように形成された渦巻き線香釣り下げ部３とから構成される。渦巻き線香支持部２は、渦巻き線香が受皿まで垂れ下がらないように渦巻き線香を下方から支持するためのものであり、渦巻き線香釣り下げ部３は、渦巻き線香を支持した釣金具１を松風式渦巻き線香釣台に釣り下げるためのものである。実際には、本考案の釣金具１は、図４に示すように、渦巻き線香釣り下げ部３が渦巻き線香の中央の穴あき部から上方に延びるようにかつ渦巻き線香支持部２が渦巻き線香の最内周部から最外周部まで渦巻き線香を下方から支持するように、釣台５に釣り下げられて使用される。
【００１３】
本発明の釣金具１では、渦巻き線香支持部２は、渦巻き線香と接触する部分が穴あき部付近（例えば、最内周部）と接触する部分を除いて不燃性マット４で覆われていることを特徴とする。渦巻き線香の点火部が渦巻き線香支持部２に直接接触すると、点火部の熱が失われて渦巻き線香が立ち消える可能性がある。従って、本考案の釣金具１では、渦巻き線香支持部２と渦巻き線香６の間に不燃性マットが設けられている。しかし、渦巻き線香の点火部が最後まで消えずに残ると安全上問題が生じうる。そこで、本考案では、渦巻き線香支持部の穴あき部付近と接触する部分には不燃性マットを設けないようにし、点火部が穴あき部付近に至った場合には自然に消えるようにしている。不燃性マット４は、炭素繊維で作られた不織布を使用することができ、例えば図３に示すように一枚の不燃性マットを使用して、不燃性マットと渦巻き線香支持部を係合させ、不燃性マットを接着することによって渦巻き線香支持部に固定することができる。
【００１４】
本考案の釣金具１は、図３に示すように、渦巻き線香支持部２と渦巻き線香釣り下げ部３とが連続した一本の針金から形成されていることを特徴とする。一本の針金によって、渦巻き線香６の中央の穴あき部から左右に対称的に下方から支持するように対をなして直線的に延びるように形成されている渦巻き線香支持部２と、その対をなした左右の針金が中央の穴あき部から上方に延びて最上部で互いに接合して釣台への釣り下げを可能にする湾曲部を構成する渦巻き線香釣り下げ部３とを形成する。また、渦巻き線香釣り下げ部３を構成する左右の針金を開けることによって、渦巻き線香支持部２の左右１対の針金の下方の開き角度もさらに開けることができる。これにより、釣台への釣り下げ機能と渦巻き線香の支持機能を良好に達成しながら製造を容易かつ安価なものにすることができる。
【００１５】
本考案の釣金具１の渦巻き線香支持部は、図３では、渦巻き線香の釣り下げ時の角度に合わせて左右１対の棒状体で形成されているが、渦巻き線香が受皿まで垂れ下がらず下方からしっかりと支持できる限り、その形状や長さは特に限定されない。但し、本考案の釣金具１は、全体がコンパクトに収納できるような平面的な形状で構成することが好ましい。また、渦巻き線香釣り下げ部は、釣台への釣り下げが可能な湾曲部を有する限り、いかなる形状のものも採用することができる。
【００１６】
本考案の釣金具は、実際には、釣糸を有しない穴あきタイプの渦巻き線香に同封されて販売される。このようにセット販売することにより、釣糸を有しない穴あきタイプの渦巻き線香を購入したときに、そのための専用の台や部品がなくても市場の大半を占める松風式渦巻き線香釣台に好適に使用することができる。本考案の釣金具は、松風式渦巻き線香釣台とともにセット販売することもできる。
【産業上の利用可能性】
【００１７】
本考案の釣金具は、釣糸を有しない穴あきタイプの渦巻き線香を松風式渦巻き線香釣台にも好適に使用できるようにしているので、薫香用燻焼具を取扱う業界において極めて有用である。
【図面の簡単な説明】
【００１８】
【図１ａ】線香の中央端部に釣糸が練り込まれたタイプの渦巻き線香の概略図を示す。
【図１ｂ】釣糸が練り込まれていない穴あきタイプの渦巻き線香の概略図を示す。
【図２ａ】線香の中央端部に釣糸が練り込まれたタイプの渦巻き線香を松風式渦巻き線香釣台に釣り下げて使用した状態を概略的に示す。
【図２ｂ】釣糸が練り込まれていない穴あきタイプの渦巻き線香を灰受け皿の中央に傘状に盛り上げた部品で下面から支持して使用した状態を概略的に示す。
【図３】本考案の釣金具の概略図を示す。
【図４】本考案の釣金具を松風式渦巻き線香台に釣り下げて使用した状態を示す。
【符号の説明】
【００１９】
１  本考案の釣金具
２  渦巻き線香支持部
３  渦巻き線香釣り下げ部
４  不燃性マット
５  湾曲部
６  渦巻き線香
７  松風式渦巻き線香釣台
【図１ａ】
0003132564.tif 000003
【図１ｂ】
0003132564.tif 000004
【図２ａ】
0003132564.tif 000005
【図２ｂ】
0003132564.tif 000006
【図３】
0003132564.tif 000007
【図４】
0003132564.tif 000008